(57)【要約】【課題】  通常のヘアブラシとして使用できると共に、櫛歯の間隔が狭い櫛のように使用することもできるヘアブラシを提供することを目的とする。【解決手段】  長手方向に複数の櫛歯が一列に並ぶ櫛歯列を少なくとも二列有し、少なくとも二列の櫛歯列の櫛歯をほぼ一列に並べることができるように、一方の櫛歯列の櫛歯を他方の櫛歯列の櫛歯に対して相対的に可動とした。三列以上の櫛歯列を設け、櫛として使用するときは、すべての櫛歯を一列に並べる構成とすることが好ましい。【選択図】  図１
2015146853.tif 000002
【特許請求の範囲】
【請求項１】
長手方向に複数の櫛歯が一列に並ぶ櫛歯列を少なくとも二列有し、少なくとも二列の櫛歯列の櫛歯をほぼ一列に並べることができるように、一方の櫛歯列の櫛歯を他方の櫛歯列の櫛歯に対して相対的に可動としたことを特徴とするヘアブラシ。
【請求項２】
一列に並べられたすべての櫛歯は、長手方向に相互にずれている請求項１記載のヘアブラシ。
【請求項３】
一列に並べられた櫛歯において、隣り合う櫛歯と櫛歯は、それぞれ異なる櫛歯列に属する請求項２記載のヘアブラシ。
【請求項４】
各櫛歯列は、長手方向に延びる一つの回転軸線を中心に相対的に回転可能に設けられている請求項２又は請求項３記載のヘアブラシ。
【請求項５】
各櫛歯列は異なる櫛歯台に設けられ、各櫛歯台は、長手方向に延びる一つの回転軸線を中心に相対的に回転可能に同心円状に重ねられ、且つ各櫛歯台よりも内側にある櫛歯台の櫛歯を突出させるための孔を有している請求項４記載のヘアブラシ。
【請求項６】
各櫛歯台の孔は、その内側にある各櫛歯台から延びる櫛歯を前記孔に対して周方向に回転可能とするために、周方向に所定の長さを有している請求項５記載のヘアブラシ。
【請求項７】
三列以上の櫛歯列を有し、最も外側の櫛歯台の櫛歯列に対する他の櫛歯列の回転角度をそれぞれ異なるものとするために、各櫛歯列の櫛歯を周方向に回転可能とする前記孔の周方向の長さを、櫛歯列ごとに異なるものとした請求項６記載のヘアブラシ。
【請求項８】
外力により直接回転力を与えられる原動櫛歯台に、その内側に存在する櫛歯台の櫛歯を突出させるための孔が設けられており、該孔は、内側の前記櫛歯の周方向の回転を一定範囲に規制するための両端縁を有し、原動櫛歯台の回転に伴って周方向に回転する前記孔の一方の端縁が、前記孔から突出している内側の櫛歯台の櫛歯を周方向に押すことにより、内側の櫛歯台が従動して回転する請求項７記載のヘアブラシ。
【請求項９】
三列以上の櫛歯列を有し、すべての櫛歯列の櫛歯をほぼ一列に並べることができるように、すべての櫛歯列の櫛歯を他の櫛歯列の櫛歯に対して相対的に可動とした請求項１乃至請求項８のいずれか一項記載のヘアブラシ。
【請求項１０】
外力により直接回転力を与えられる原動櫛歯台と、その原動櫛歯台の回転に従動して回転する従動櫛歯台との間に、原動櫛歯台の回転角度よりも大きな回転角度を従動櫛歯台に与える機構が存在している請求項５乃至請求項９のいずれか一項記載のヘアブラシ。
【発明の詳細な説明】
【技術分野】
【０００１】
本発明は、頭髪を整えるためのヘアブラシに関する。
【背景技術】
【０００２】
従来から使用されているヘアブラシで、櫛歯が合成樹脂で一本の細棒状に形成されているものは、一列に並んだ櫛歯の間隔が比較的広く、隣り合う櫛歯列の櫛歯との間隔も比較的広いので、髪を梳くときに櫛歯の通りが良いのである。したがって、洗髪後の髪や寝起きの髪などのように、髪が絡んでいる場合にその絡みを解くときに効果的である。その反面、櫛歯が抵抗なく髪の中を通るので、櫛歯が頭髪をしっかり捉えることができず、髪型をきちんと整える作業には向かないのである。このようなヘアブラシに比べて、同じ整髪用具である櫛は、一列に並んでいる各櫛歯の間隔が狭いので、櫛歯が頭髪をしっかり捉えて髪型をきちんと整えることができるのである。
【０００３】
前述したように、ヘアブラシは絡んだ髪を解くときに効果があるが、櫛のように髪型をきちんと整えようとしても大きな効果を得られない。したがって、旅行等の外出時に髪をきちんと整える必要があるときは、ヘアブラシと櫛とを携帯することになり、ハンドバッグ等が嵩張る原因となる。そこで、櫛を兼用することができるヘアブラシであれば携帯に便利である。特許文献１に記載されたヘアブラシは、二列又は三列の櫛歯列を有し、嵩張りを低減させるために櫛歯列の間隔を狭めることができる構成であるが、櫛歯列の間隔を狭めたときに櫛歯列の櫛歯が一列に並ぶものではなく、櫛歯間の間隔が十分に狭くならない。この点で、櫛歯が狭い間隔で一列に並ぶ櫛と異なっているので、櫛の持つ特徴を生かすことができない。また、櫛は、櫛歯が一列なので、髪にきれいな分け目を付けることができるが、特許文献１のヘアブラシは、櫛歯列が一列に並ぶ構成ではなく、二列又は三列の櫛歯列が平行に並ぶのでやや大雑把な分け目となってしまうのである。
【先行技術文献】
【特許文献】
【０００４】
【特許文献１】特開平８−１１７０１５号公報
【発明の概要】
【発明が解決しようとする課題】
【０００５】
通常のヘアブラシとして使用できると共に、櫛歯の間隔が狭い櫛のように使用することもできるヘアブラシを提供することを目的とする。
【課題を解決するための手段】
【０００６】
請求項１に記載の発明は、長手方向に複数の櫛歯が一列に並ぶ櫛歯列を少なくとも二列有し、少なくとも二列の櫛歯列の櫛歯をほぼ一列に並べることができるように、一方の櫛歯列の櫛歯を他方の櫛歯列の櫛歯に対して相対的に可動とした構成である。
【０００７】
請求項２に記載の発明は、一列に並べられたすべての櫛歯は、長手方向に相互にずれている構成である。
【０００８】
請求項３に記載の発明は、一列に並べられた櫛歯において、隣り合う櫛歯と櫛歯が、それぞれ異なる櫛歯列に属する構成である。
【０００９】
請求項４に記載の発明は、各櫛歯列が、長手方向に延びる一つの回転軸線を中心に相対的に回転可能に設けられている構成である。
【００１０】
請求項５に記載の発明は、各櫛歯列が異なる櫛歯台に設けられ、各櫛歯台が、長手方向に延びる一つの回転軸線を中心に相対的に回転可能に同心円状に重ねられ、且つ各櫛歯台よりも内側にある櫛歯台の櫛歯を突出させるための孔を有している構成である。
【００１１】
請求項６に記載の発明は、各櫛歯台の孔が、その内側にある各櫛歯台から延びる櫛歯を前記孔に対して周方向に回転可能とするために、周方向に所定の長さを有している構成である。
【００１２】
請求項７に記載の発明は、三列以上の櫛歯列を有し、最も外側の櫛歯台の櫛歯列に対する他の櫛歯列の回転角度をそれぞれ異なるものとするために、各櫛歯列の櫛歯を周方向に回転可能とする前記孔の周方向の長さを、櫛歯列ごとに異なるものとした構成である。
【００１３】
請求項８に記載の発明は、外力により直接回転力を与えられる原動櫛歯台に、その内側に存在する櫛歯台の櫛歯を突出させるための孔が設けられており、該孔は、内側の前記櫛歯の周方向の回転を一定範囲に規制するための両端縁を有し、原動櫛歯台の回転に伴って周方向に回転する前記孔の一方の端縁が、前記孔から突出している内側の櫛歯台の櫛歯を周方向に押すことにより、内側の櫛歯台が従動して回転する構成である。
【００１４】
請求項９に記載の発明は、三列以上の櫛歯列を有し、すべての櫛歯列の櫛歯をほぼ一列に並べることができるように、すべての櫛歯列の櫛歯を他の櫛歯列の櫛歯に対して相対的に可動とした構成である。
【００１５】
請求項１０に記載の発明は、外力により直接回転力を与えられる原動櫛歯台と、その原動櫛歯台の回転に従動して回転する従動櫛歯台との間に、原動櫛歯台の回転角度よりも大きな回転角度を従動櫛歯台に与える機構が存在している構成である。
【発明の効果】
【００１６】
請求項１に記載の発明は、少なくとも二列の櫛歯列の櫛歯をほぼ一列に並べることができる。したがって、櫛歯をほぼ一列に並べることにより、櫛歯列による嵩張りを低減させることができるから、携帯に便利である。また、複数の櫛歯列を一列に並べることにより、櫛歯と櫛歯の間隔を狭くすることができるので、その間隔の狭い櫛歯列を使用することによって、櫛を使用したと同様のきれいな分け目を付けることが可能となる。すなわち、櫛歯の間隔が狭まった一列の櫛歯列を櫛として使用することができる。また、一方の櫛歯列の櫛歯を他方の櫛歯列の櫛歯に対して相対的に可動としたので、一列に並んでいる複数の櫛歯列を移動させて、櫛歯列を複数の列とすることができるから、通常のヘアブラシとして使用することができる。
【００１７】
請求項２に記載の発明は、一列に並べられたすべての櫛歯は、長手方向に相互にずれている。したがって、二列以上の櫛歯列の櫛歯を一列に並べたときに、各櫛歯の長手方向の間隔をより狭めることができるから、櫛歯の間隔がより狭い櫛のように使用することができる。
【００１８】
請求項３に記載の発明は、一列に並べられた櫛歯において、隣り合う櫛歯と櫛歯が、それぞれ異なる櫛歯列に属している。すなわち、同じ櫛歯列の櫛歯が隣り合わせにならず、異なる櫛歯列の櫛歯が交互に並んでいる。したがって、一つの櫛歯列の中の櫛歯同士が近づき過ぎることがなく、櫛歯を開いたときに櫛歯がバランスよく配置され、頭髪をバランスよく梳いて乱れのない状態に整えることができる。
【００１９】
請求項４に記載の発明は、各櫛歯列が、長手方向に延びる一つの回転軸線を中心に相対的に回転可能に設けられている。したがって、一つの回転操作で各櫛歯列を回転させて櫛歯列を開くことが可能であり、このようにした場合、操作部を回転させるだけの簡単な操作で櫛歯列を開くことができる。
【００２０】
請求項５に記載の発明は、櫛歯を有する各櫛歯台が、長手方向に延びる一つの回転軸線を中心に相対的に回転可能に同心円状に重ねられ、且つ各櫛歯台よりも内側にある櫛歯台の櫛歯を突出させるための孔を有している。したがって、櫛歯台が同心円状に重ねられているので、櫛歯台を円滑に回転させることができる。
【００２１】
請求項６に記載の発明は、各櫛歯台の孔が、その内側にある各櫛歯台から延びる櫛歯をその孔に対して周方向に回転可能とするために、周方向に所定の長さを有している。孔が所定の長さを有しているので、その孔から突出している櫛歯を孔の長さだけ周方向に回転させることができると共に、櫛歯の回転範囲を一定の範囲で規制することができる。
【００２２】
請求項７に記載の発明は、最も外側の櫛歯台の櫛歯列に対する他の櫛歯列の回転角度をそれぞれ異なるものとするために、各櫛歯列の櫛歯を周方向に回転可能とする孔の周方向の長さを、櫛歯列ごとに異なるものとしてある。これにより、回転操作によって一列に並んでいる各櫛歯列の回転角度が自動的に定まるので、櫛歯列を開くときに各櫛歯列の回転角度を調節する必要がなく、容易に複数の櫛歯列がバランスよく並ぶヘアブラシに変換することができる。
【００２３】
請求項８に記載の発明は、原動櫛歯台の内側に存在する櫛歯台の櫛歯を突出させるための孔が原動櫛歯台に設けられており、その孔は、内側の櫛歯の周方向の回転を一定範囲に規制するための両端縁を有し、原動櫛歯台の回転に伴って周方向に回転する前記孔の一方の端縁が、その孔から突出している櫛歯を周方向に押すことにより、内側の櫛歯台が従動して回転する。したがって、原動櫛歯台と内側の櫛歯台の櫛歯が一列に並んでいる状態から原動櫛歯台を回転させると、最初に原動櫛歯台が回転するが、孔から突出している内側の櫛歯のうち、その櫛歯を開かせる方向に押す孔の一方の端縁と接していない櫛歯については、すぐには回転しない。そこでさらに原動櫛歯台を回転させると、孔の一方の端縁が櫛歯に当たってその櫛歯を押すことになる。すなわち、内側の、一方の端縁と接していない櫛歯は、原動櫛歯台の回転に遅れて回転が始まることになる。そして、原動櫛歯台を一杯に回転させたときに、原動櫛歯台の櫛歯の根元と、内側の櫛歯台の櫛歯の根元は、周方向に離れる。その周方向に離れた間隔は、孔の周方向の長さよりもやや短い距離だけ離れることになる。この理由は、櫛歯の根元が所定の半径を有しているので、櫛歯の根元の回転距離は孔の周方向の長さよりも櫛歯の根元の直径分だけ小さくなるからである。これにより、原動櫛歯台の一つの回転で自動的に、原動櫛歯台と、その内側の、一方の端縁と接していない櫛歯の櫛歯台との２つの櫛歯列を、異なる開き角度で開かせることができる。
【００２４】
請求項９に記載の発明は、三列以上の櫛歯列を有し、すべての櫛歯列の櫛歯をほぼ一列に並べることができるように、すべての櫛歯列の櫛歯を他の櫛歯列の櫛歯に対して相対的に可動とした。したがって、三列以上の櫛歯列が一列になるので、各櫛歯の間隔がより狭まり、櫛歯の間隔が十分に狭い櫛と同じように使用することができる。また、三列以上の櫛歯列を一列とすることにより、櫛歯による嵩張りを大きく低減させることができ、携帯に便利となる。
【００２５】
請求項１０に記載の発明は、外力により直接回転力を与えられる原動櫛歯台と、その原動櫛歯台の回転に従動して回転する従動櫛歯台との間に、原動櫛歯台の回転角度よりも大きな回転角度を従動櫛歯台に与える機構が存在している。櫛歯列の数が五列などのように多くなったときは、外側の櫛歯列の開き角度が大きくなるが、そうすると原動櫛歯台を大きく回転させなければならず、操作が面倒である。そこで、原動櫛歯台の回転角度よりも大きな回転角度を従動櫛歯台に与える機構を用いることにより、原動櫛歯台を大きく回転させなくても、外側の従動櫛歯台を大きく回転させることができる。
【図面の簡単な説明】
【００２６】
【図１】櫛歯を開いたヘアブラシの斜視図
【図２】櫛歯を一列に並べたヘアブラシの斜視図
【図３】図２で見える側と反対側から見た櫛歯を一列に並べたヘアブラシの正面図
【図４】最も外側にある第一櫛歯台の斜視図
【図５】第一櫛歯台に内接する第二櫛歯台である原動櫛歯台の斜視図
【図６】原動櫛歯台に内接する第三櫛歯台の斜視図
【図７】第三櫛歯台に内接する第四櫛歯台の斜視図
【図８】最も内側にある第五櫛歯台である従動櫛歯台の斜視図
【図９】カバーを内側から見た斜視図
【図１０】ラックを後ろ側から見た拡大斜視図
【図１１】図１０を反対側から見た斜視図
【図１２】大径ピニオンを前側から見た拡大斜視図
【図１３】小径ピニオンを前側から見た拡大斜視図
【図１４】小径ピニオンを後ろ側から見た拡大斜視図
【図１５】ラックの取付け状態を示す拡大斜視図
【図１６】大径ピニオンの取付け状態を示す拡大斜視図
【図１７】従動櫛歯台に小径ピニオンを取付けた状態を示す斜視図
【図１８】ラックとピニオンの噛み合わせを示す拡大斜視図
【図１９】原動櫛歯台の端部の拡大斜視図
【図２０】第一櫛歯台の端部の拡大斜視図
【発明を実施するための形態】
【００２７】
以下、本発明の実施形態について、図面を参照しながら説明する。本実施形態は、５つの櫛歯台を有する。すなわち、図４に示すように半割円筒状に形成された第一櫛歯台１と、図５に示すように同じく半割円筒状に形成された第二の櫛歯台である原動櫛歯台２と、図６に示すように同じく半割円筒状に形成された第三櫛歯台３と、図７に示すように同じく半割円筒状に形成された第四櫛歯台４と、図８に示すように丸棒状に形成された第五の櫛歯台である従動櫛歯台５である。また、これらの櫛歯台のほかに、図９に示すように半割円筒状に形成されたカバー６を有する。図２に示すように、このカバー６と第一櫛歯台１とが結合されてハウジング７を構成している。カバー６と第一櫛歯台１の結合構造は、カバー６と第一櫛歯台１が合接するそれらの合接縁部の所定の複数箇所に、凹凸の関係で嵌合する嵌合部を設け、カバー６と第一櫛歯台１の合接縁部を合せて押し付けることにより、嵌合部同士がパチンと嵌合して確実に結合することができる構造である。結合構造はこれに限定されるものでなく、例えば接着剤や溶着によるものであってもよい。
【００２８】
第一櫛歯台１は、その上面に七本の第一櫛歯である第一櫛歯８が長手方向に一列に並ぶように一体に設けられ、それらの第一櫛歯８により櫛歯列が構成されている。原動櫛歯台２は、その上面に七本の第二櫛歯である原動櫛歯９が長手方向に一列に並ぶように一体に設けられ、それらの原動櫛歯９により櫛歯列が構成されている。第三櫛歯台３は、その上面に七本の第三櫛歯１０が長手方向に一列に並ぶように一体に設けられ、それらの第三櫛歯１０により櫛歯列が構成されている。第四櫛歯台４は、その上面に七本の第四櫛歯１１が長手方向に一列に並ぶように一体に設けられ、それらの第四櫛歯１１により櫛歯列が構成されている。従動櫛歯台５は、その上面に七本の従動櫛歯１２が長手方向に一列に並ぶように一体に設けられ、それらの従動櫛歯１２により櫛歯列が構成されている。
【００２９】
各櫛歯台は外側から、第一櫛歯台１、原動櫛歯台２、第三櫛歯台３、第四櫛歯台４、及び従動櫛歯台５の順に同心円状に重ねられ、原動櫛歯台２、第三櫛歯台３、第四櫛歯台４、及び従動櫛歯台５は、ハウジング７に対して長手方向の回転軸線を中心に相互に回転可能にハウジング７の内部に取り付けられている。原動櫛歯台２は、手からの回転駆動力が直接的に伝えられる櫛歯台であり、第三櫛歯台３、第四櫛歯台４、及び従動櫛歯台５は、それぞれ原動櫛歯台２の回転力を得て回転するものである。第三櫛歯台３は、原動櫛歯台２の回転に対し所定のタイムラグを置いて遅れて回転する。また、後述するように、第四櫛歯台４と従動櫛歯台５は、原動櫛歯台２の回転と同時に回転し始める。
【００３０】
原動櫛歯台２の端部にはハンドル１３を取り付けるためのハンドル取付け部１４が設けられている。ハンドル取付け部１４には一対の軸孔１５，１５が設けられ、図１に示すように、この軸孔１５，１５に嵌挿された支軸１６によりハンドル１３はハンドル取付け部１４に取り付けられる。このように、ハンドル１３は原動櫛歯台２と結合しており、原動櫛歯台２を回転させるための操作部として機能する。また、ハンドル１３は、支軸１６を中心に回転可能であり、したがって、折り畳み可能である。図１に示すように、ハンドル１３の内面は、両側部が中央部よりも高くなるように形成されているので凹状をなしており、ハンドル１３を折り畳んだときに、櫛歯の先端はハンドル１３の内面によって囲まれるように覆われる。
【００３１】
次に、図２に示すように各櫛歯列が一列に並んだ状態から、長手方向に延びる回転軸線を中心に、原動櫛歯台２をハンドル取付け部１４側から見て時計回りに回転させることにより、図１に示すように櫛歯列を開く機構について説明する。なお、これ以降、時計回りというときはこれと同じ方向を意味するものとする。前述したように、第一櫛歯台１は、カバー６と結合してハウジング７を構成する部材であり、最も外側にある櫛歯台である。第一櫛歯台１の内側には、他の４つの櫛歯台２，３，４，５が同心円状に重ねられている。各櫛歯台２，３，４，５は、それぞれ櫛歯９，１０，１１，１２を有しているから、それらの櫛歯を突出させるための７つの共同孔１７が第一櫛歯台１に設けられている。各共同孔１７からは、それぞれ他の櫛歯台の櫛歯９，１０，１１，１２が一本ずつ、合計四本の櫛歯が突出している。共同孔１７は、櫛歯９，１０，１１，１２の四本の櫛歯を突出させるので、櫛歯四本分の幅を有している。共同孔１７の内縁には、共同孔１７内での各櫛歯９，１０，１１，１２の周方向の回転を所定の角度で規制するための４つの端縁、すなわち第一端縁１８、第二端縁１９、第三端縁２０及び第四端縁２１が、階段状に形成されている。なお、共同孔１７とせず、各櫛歯専用の長円孔を個別に設けてもよい。すなわち、共同孔１７は、各櫛歯専用の長円孔を一つの孔としてまとめたものであって、前記４つの端縁１８，１９，２０，２１は、各長円孔の一方の端縁が連続して階段状に並んだものである。さらに、各櫛歯９，１０，１１，１２の反対方向への回転を規制して、各櫛歯９，１０，１１，１２を一列に並べるための直線端縁２２が、前記４つの端縁１８，１９，２０，２１に対向して形成されている。図２に示すように、直線端縁２２は、可動櫛歯の反時計回りの回転を規制することにより、櫛歯を一列に並べることができる。
【００３２】
そこでまず、第一櫛歯台１を固定した状態で、その第一櫛歯台１に対して原動櫛歯台２を時計回りに回転させ、第一櫛歯台１と原動櫛歯台２の櫛歯列を二列にする機構から説明する。まず、図４に示す第一櫛歯台１の下側から図５に示す原動櫛歯台２を内接させる。そのとき、原動櫛歯９は、共同孔１７から突出する。第一櫛歯台１の端部内面には、周方向に延びる突条２３が形成され、原動櫛歯台２のハンドル取付け部１４に隣接した部分には、周方向に延びる条溝２４が形成されている。第一櫛歯台１に原動櫛歯台２を内接させたときに、突条２３が条溝２４内で摺動可能に嵌り、第一櫛歯台１と原動櫛歯台２とが長手方向に相互にずれることを規制する。詳述しないが、他の櫛歯台も長手方向に相互にずれることを規制されている。第一櫛歯台１を固定し、原動櫛歯台２を時計回りの方向に回転させると、原動櫛歯９は、共同孔１７の第二端縁１９に当たって、それ以上の回転が規制される。この位置が、原動櫛歯９を一杯に開いた位置である。
【００３３】
次に、第一櫛歯台１を固定した状態で、その第一櫛歯台１に対して原動櫛歯台２及び第三櫛歯台３を回転させ、第一櫛歯台１と原動櫛歯台２と第三櫛歯台３の櫛歯列を三列にする機構について説明する。前述したように、まず、図４に示す第一櫛歯台１の下側から図５に示す原動櫛歯台２を内接させる。次いで、原動櫛歯台２の下側から図６に示す第三櫛歯台３を内接させる。ここで、第三櫛歯台３の第三櫛歯１０を、原動櫛歯台２を通して突出させるための７つの長円孔２５が、原動櫛歯９の根元に隣接した位置で原動櫛歯台２の周方向に延びるように形成されている。この長円孔２５は、第三櫛歯１０を突出させるための専用の孔である。第三櫛歯１０は、長円孔２５と第一櫛歯台１の共同孔１７を通って突出している。これにより、第一櫛歯台１とその内側の原動櫛歯台２とその内側の第三櫛歯台３とが、長手方向に延びる一つの回転軸線を中心に相対的に回転可能に同心円状に重ねられる。第一櫛歯台１と原動櫛歯台２と第三櫛歯台３の各櫛歯列が一列に並ぶ状態から、第一櫛歯台１を固定した状態で原動櫛歯台２を時計周りに回転させると、原動櫛歯９も同時に回転するが、原動櫛歯台２の長円孔２５から突出している内側の第三櫛歯１０は、その櫛歯１０を開かせる方向に押す長円孔２５の一方の端縁２６と接していないので、同時に回転しない。そこでさらに原動櫛歯台２を回転させると、長円孔２５の一方の端縁２６が第三櫛歯１０の根元に当たってその櫛歯１０を押すことになる。すなわち、内側の第三櫛歯１０は、原動櫛歯台２の回転に遅れて回転が始まることになる。そして、原動櫛歯台２を一杯に回転させると、第三櫛歯１０は、第一櫛歯台１の共同孔１７の第一端縁１８に当たって、それ以上の回転が規制され、それと反対方向の回転は端縁２６で規制される。この位置が、第三櫛歯１０を一杯に開いた位置である。これにより、原動櫛歯台２の一つの回転で自動的に原動櫛歯台２とその内側の第三櫛歯台３の２つの櫛歯列を異なる開き角度で開かせることができる。そして、第一櫛歯台１の櫛歯列と原動櫛歯台２の櫛歯列の間に、第三櫛歯台３の櫛歯列が存在する合計三列の櫛歯列が出来上がるのである。
【００３４】
次に、原動櫛歯台２を回転させて、従動櫛歯台５を回転させる機構について説明する。原動櫛歯台２の回転を従動櫛歯台５に伝える機構は、歯車機構である。用いられる歯車は、図１０，１１に示すラック２７と、図１２に示す大径ピニオン２８と、図１３，１４に示す小径ピニオン２９である。図１０に示すように、ラック２７には上側歯列３０と下側歯列３１が平行に形成されている。図１１に示すように、ラック２７の前側に歯列方向に延びるガイド溝３２が形成されている。なお、ここで、本実施形態の前側と後ろ側の方向について説明する。図１において、ハウジング７の先端の側を前側、それと反対側のハウジング７のハンドル１３寄りの側を後ろ側であるものとし、これ以降それに従う。そこで、前述したラック２７は、図１５に示すように、カバー６の後ろ側内面に装着される。カバー６には幅方向に延びるガイドレール３３が設けられており、ラック２７のガイド溝３２がこのガイドレール３３に嵌った状態で、ラック２７は、ガイドレール３３上を滑動することができる。
【００３５】
図１６に示すように、原動櫛歯台２の後ろ側の端面３４に、大径ピニオン２８が装着されている。この端面３４に凹部（図示せず。）が設けられ、これと対向する大径ピニオン２８の裏面には凸部（図示せず。）が設けられ、これらの凹部と凸部が嵌合している。また、図１２に示すように、大径ピニオン２８には回転規制凸部３５が設けられている。図１６に示すように、端面３４には嵌合凹部３６が形成されており、この嵌合凹部３６に回転規制凸部３５が嵌合している。これにより、大径ピニオン２８は、原動櫛歯台２に対して相対的に回転せず、原動櫛歯台２の回転と共に回転する。
【００３６】
図８に示すように、従動櫛歯台５の後ろ側の端面に五角形の嵌合凸部３７が設けられている。また、図１３に示すように、小径ピニオン２９の後ろ側に五角形の嵌合凹部３８が設けられている。これらの嵌合凸部３７と嵌合凹部３８が嵌合することにより、図１７に示すように、従動櫛歯台５の後ろ側の端部に小径ピニオン２９が取り付けられる。嵌合凸部３７と嵌合凹部３８は共に五角形であるから、従動櫛歯台５は、小径ピニオン２９に対して相対的に回転せず、小径ピニオン２９の回転と共に回転する。
【００３７】
丸棒状に形成されている従動櫛歯台５は、同心円状に重ねられた櫛歯台の最も内側に位置している。図８に示すように、従動櫛歯台５の前側の端面にはジャーナル軸６９が設けられている。このジャーナル軸６９は、第一櫛歯台１の前側の端面に設けられたジャーナル軸受６５に係合する。また、従動櫛歯台５の後ろ側の端部に取り付けられた小径ピニオン２９のジャーナル軸３９が、大径ピニオン２８のＵ字形軸受４０に係合し、図１８の上図に示すように、小径ピニオン２９が大径ピニオン２８に対し相対的に回転可能に隣接して取り付けられている。このように、従動櫛歯台５は、その前端でハウジング７とジャーナル結合し、その後端で小径ピニオン２９を介して大径ピニオン２８にジャーナル結合することにより、両端で支持され、ジャーナル軸線を中心に回転可能である。図１８は、ハウジング７を構成する第一櫛歯台１とカバー６を結合する前の状態を示しており、この状態から、両者を結合して歯車をかみ合わせる。カバー６を第一櫛歯台１に結合させるときは、図１８の下図に示すように、あらかじめラック２７をこの図で見て上方にずらしてセットしておく。ハウジング７の中での歯車の噛み合わせは、大径ピニオン２８がラック２７の下側歯列３１に噛み合い、小径ピニオン２９が上側歯列３０に噛み合う。ここで、原動櫛歯台２をハンドル取付け部１４側から見て時計回りに回転させると、大径ピニオン２８も同時に回転し、それと噛み合うラック２７の下側歯列３１を介して、上方にずれているラック２７を図１８で見て下側に移動させる。当初のラック２７のずれがラック２７の移動を担保できるので、ここにおいて、あらかじめラック２７を上方にずらしておいた意味がある。このラック２７の移動により、その上側歯列３０が、それと噛み合う小径ピニオン２９を回転させ、これにより従動櫛歯台５が回転するのである。ここで、大径ピニオン２８と小径ピニオン２９が直接噛み合っている場合には、回転が逆になるが、ラック２７を介しているので、両ピニオンの回転方向は同じである。また、大径ピニオン２８の径は、文字通り小径ピニオン２９の径よりも大きいので、大径ピニオン２８の回転により移動したラック２７は、小径ピニオン２９に対し、大径ピニオン２８の回転角度よりも大きな回転角度を与える。これにより、従動櫛歯台５の回転角度は、原動櫛歯台２の回転角度よりも大きくなるので、図１に示すように、従動櫛歯台５の従動櫛歯１２は、原動櫛歯台２の原動櫛歯９よりも大きく開くのである。本実施形態では、櫛歯が全開したときに、第一櫛歯８と原動櫛歯９とのなす角度は約４０度であり、第一櫛歯８と従動櫛歯１２とのなす角度は約８０度である。すなわち、原動櫛歯台２を４０度回転させたときに、従動櫛歯台５は歯車機構によりその倍の８０度回転しているのである。なお、一杯に開いた従動櫛歯１２は、第一櫛歯台１に設けられた共同孔１７の第四端縁２１に当たるので、それ以上の回転が規制される。
【００３８】
次に、原動櫛歯台２を回転させて、第四櫛歯台４を回転させる機構について説明する。第四櫛歯台４は、従動櫛歯台５と第三櫛歯台３の間に存在する。原動櫛歯台２の回転を第四櫛歯台４に伝える部材は、従動櫛歯台５である。図７に示すように、第四櫛歯台４には、７つの長円孔４１が設けられている。第四櫛歯台４の下側に内接している従動櫛歯台５の７本の従動櫛歯１２は、それぞれ長円孔４１から突出する。第四櫛歯１１と従動櫛歯１２が一列に並んだ状態では、図７で見て、長円孔４１の奥側にある端縁４２側に従動櫛歯１２が寄っている。このことは、第四櫛歯１１が、元々、長円孔４１の中央でなく端縁４２側に寄せて設けられているということである。ここで、原動櫛歯台２を回転させると、それに伴って従動櫛歯台５が回転し、長円孔４１から突出している従動櫛歯１２は、長円孔４１内をその一方の端縁４２から他方の端縁４３の方向に回転する。このとき、従動櫛歯１２は第四櫛歯台４に対して何ら作用をしないが、第四櫛歯台４の第四櫛歯１１は原動櫛歯台２に設けられた共同孔６２から突出しているので、その共同孔６２の直線端縁７０が第四櫛歯１１を押すことにより、第四櫛歯台４は原動櫛歯台２と同時に回転する。さらに原動櫛歯台２を回転させて、従動櫛歯１２が他方の端縁４３に当たったときに、従動櫛歯１２が端縁４３を押して第四櫛歯台４を回転させるのである。原動櫛歯台２を一杯に回転させると、第四櫛歯１１も一杯に開いて、第一櫛歯台１に設けられた共同孔１７の第三端縁２０に当たるので、それ以上の回転が規制され、それと反対方向の回転は、長円孔４１から突出した従動櫛歯１２の根元が端縁４３に当たることにより規制される。第四櫛歯台４の長円孔４１の周方向の長さが比較的短いので、原動櫛歯９よりも大きく開く従動櫛歯１２と共に、その従動櫛歯１２が端縁４３を押すことにより、第四櫛歯１１も図１に示すように原動櫛歯９よりも大きく開くが、その開き角度は従動櫛歯１２の開き角度に比べて小さい。
【００３９】
前述したように、第四櫛歯台４の長円孔４１は、内側の一本の従動櫛歯１２のみを突出させる孔であるから、形状は長円形でよいのであるが、他の櫛歯台の孔は二本以上の櫛歯を突出させる共同孔であるから、櫛歯の数に対応した幅が必要である。前述したように、第一櫛歯台１の共同孔１７は、原動櫛歯９と、第三櫛歯１０と、第四櫛歯１１と、従動櫛歯１２の四本の櫛歯を突出させるので、図４に示すように、櫛歯四本分の幅を有している。そして、階段状に４つの端縁１８，１９，２０，２１を形成して、各櫛歯の回転角度を規制している。図５に示すように、原動櫛歯台２にも、櫛歯を突出させるための７つの共同孔６２が設けられている。共同孔６２は、第四櫛歯１１と従動櫛歯１２の二本の櫛歯を突出させるので、櫛歯二本分の幅を有している。そして、階段状に２つの端縁６３，６４を形成して、第一櫛歯台１と同様に各櫛歯の回転角度を規制している。なお、前述したように、第三櫛歯１０は長円孔２５から突出するので、共同孔６２は櫛歯二本分の幅でよいのである。さらに、図６に示すように、第三櫛歯台３にも、櫛歯を突出させるための７つの共同孔６６が設けられている。共同孔６６は、共同孔６２と同様に、第四櫛歯１１と従動櫛歯１２の二本の櫛歯を突出させるので、櫛歯二本分の幅を有している。そして、階段状に２つの端縁６７，６８を形成して、第一櫛歯台１及び原動櫛歯台２と同様に各櫛歯の回転角度を規制している。なお、共同孔６２，６６についても、共同孔とせず、各櫛歯専用の長円孔を個別に設けてもよい。このようにして、各櫛歯を一杯に開いたときに、従動櫛歯１２が共同孔１７の第四端縁２１に当たり、第四櫛歯１１が共同孔１７の第三端縁２０に当たり、原動櫛歯９が共同孔１７の第二端縁１９に当たり、第三櫛歯１０が共同孔１７の第一端縁１８に当たる。したがって、すべての櫛歯が一列に並ぶように閉じたときに、図２又は図１８に示すように、一列に並んだ櫛歯列の最も後ろ側に第一櫛歯８が位置し、その前に第三櫛歯１０が位置し、その前に原動櫛歯９が位置し、その前に第四櫛歯１１が位置し、その前に従動櫛歯１２が位置する。これよりも前側の櫛歯もこれらの櫛歯と同じ並びを繰り返して続くことになる。
【００４０】
以上述べた機構によって、一方の手でハウジング７を持ち、他方の手でハンドル１３を摘んで回転軸線を中心に時計回りに回転させることにより櫛歯を開くことができる。開いた各櫛歯の歯列の並びは、図１に示すように、ハンドル取付け部１４側から見て、一番左側が第一櫛歯台１の第一櫛歯８の歯列であり、その右隣りが第三櫛歯台３の第三櫛歯１０であり、その右隣りが原動櫛歯台２の原動櫛歯９であり、その右隣りが第四櫛歯台４の第四櫛歯１１であり、さらにその右隣りが従動櫛歯台５の従動櫛歯１２である。櫛歯列は５つあるので、原動櫛歯台２の原動櫛歯９の歯列が各歯列の中央に存在する。また、原動櫛歯台２はハンドル１３と結合されているので、原動櫛歯９とハンドル１３の回転方向の相対的角度は変化しない。したがって、すべての櫛歯を一列に並べたときの櫛歯とハンドル１３のバランスは、櫛歯を開いたときにも変化しないので、櫛歯を開いて使用するときに違和感なく使用することができる。
【００４１】
以上述べた機構以外に必要な機構としては、各櫛歯を一列に並べて使用するときと、各櫛歯を開いて使用するときに、いずれの場合にもその位置に櫛歯を固定する機構である。特に、櫛歯を一列に並べたときは、各櫛歯の間隔が狭くなるので、使用時に頭髪から受ける摩擦力が大きくなって櫛歯が自然に回転する虞があるから、しっかり固定する必要がある。この櫛歯の固定は、可動の櫛歯台をハウジング７に係止する係止機構により行われる。第一櫛歯台１の第一櫛歯８は、ハウジング７に設けられていてハウジング７に対して固定されているから、使用中に回転することはない。また、第三櫛歯台３と第四櫛歯台４は、原動櫛歯台２の回転に伴って回転するので、原動櫛歯台２を係止すれば、第三櫛歯台３と第四櫛歯台４は回転しない。したがって、原動櫛歯台２を係止する機構を設ければ、第三櫛歯台３と第四櫛歯台４の係止機構は不要である。また、第四櫛歯台４は、従動櫛歯台５の回転に伴って回転するので、従動櫛歯台５を係止する機構を設ければ、第四櫛歯台４の係止機構は不要である。
【００４２】
そこでまず、原動櫛歯台２の係止機構について説明する。図１９に示すように、原動櫛歯台２のハンドル取付け部１４に隣接する表面に、細長い切欠部４４が周方向に延びるように形成され、そこに一対の凸部４５，４６が設けられている。さらに、孔４７を挟んで切欠部４４の反対側に凸部４８，４９が設けられている。他方、第一櫛歯台１の後ろ側の端部の内面に、突条２３を挟んで係止凸部５０,５１が設けられている。そして、各櫛歯が一列に並べられているときは、係止凸部５０が、凸部４５と切欠部４４の端面５２との間に位置して凸部４５によって係止されるので、原動櫛歯台２の回転が規制される。同様に、係止凸部５１が凸部４８に係止されるので、これによって、原動櫛歯台２の回転が二重に規制される。櫛歯を開くときは、原動櫛歯台２に時計回りの方向の力を加えると、係止凸部５０が凸部４５を乗り越え、同じく係止凸部５１が凸部４８を乗り越えることによって係止状態が解除され、原動櫛歯台２が回転を開始する。さらに回転させると、係止凸部５０が、凸部４６に当たってそれを乗り越え、凸部４６と切欠部４４の他方の端面５３との間に位置して凸部４６によって係止される。同様に、係止凸部５１が、凸部４９に当たってそれを乗り越え、凸部４９に係止されるので、この位置でも原動櫛歯台２の回転が二重に規制される。以上の機構により、原動櫛歯台２は、櫛歯が一列に並んだ位置と、櫛歯が開いた位置で係止され、櫛歯が自然に回転することを防止することができる。
【００４３】
次に、従動櫛歯台５の係止機構について説明する。図１７に示すように、従動櫛歯台５の従動櫛歯１２と反対側の面に３つの係止凸部５４，５５，５６が設けられている。また、図９に示すように、カバー６の内面に６つのリブが設けられているが、従動櫛歯台５がセットされたときに、その係止凸部５４がリブ５７に係合し、係止凸部５５がリブ５８に係合し、係止凸部５６がリブ５９に係合する。他方、カバー６のリブ５７には、２つの凹部６０，６１が設けられている。櫛歯が一列に並べられているときに、係止凸部５４は凹部６０内に係止して、従動櫛歯台５の回転を規制する。また、従動櫛歯台５を回転させて第四櫛歯１１を開くときは、係止凸部５４は凹部６０を乗り越えて回転し、凹部６１内に係止して従動櫛歯台５の回転を規制する。これらのことは、他の、係止凸部５５，５６とリブ５８，５９も同様である。このような係止機構によって、従動櫛歯台５は、櫛歯が一列に並んだ位置と、櫛歯が開いた位置で係止され、櫛歯が自然に回転することを防止することができる。
【００４４】
次に、本実施態様のサイズについて説明する。ハウジング７の全長すなわち第一櫛歯台１及びカバー６の全長は約７５ｍｍである。ハンドル取付け部１４を含んだ原動櫛歯台２の全長は約９０ｍｍである。第三櫛歯台３及び第四櫛歯台４の全長は約６６ｍｍである。原動櫛歯台５の嵌合凸部３７及びジャーナル軸６９を除いた全長は約６６ｍｍである。ハウジング７の直径は約１６ｍｍである。第一櫛歯８の長さは約１５ｍｍであり、原動櫛歯９の長さは約１８ｍｍであり、第三櫛歯１０の長さは約１８ｍｍであり、第四櫛歯１１の長さは約２０ｍｍであり、従動櫛歯１２の長さは約２０ｍｍである。このような各櫛歯の長さにより、図２に示すように、櫛歯を一列に並べたときに、各櫛歯の頂部は直線状とならずやや不揃いとなる。これにより、櫛歯を一列にして櫛として使用したときに、各櫛歯の頂部が一時に頭皮に当たることがなく、頭皮の負担を軽くすることができる。また、櫛歯を開いてヘアブラシとして使用したときも、櫛歯は扇状に開いて、中央の櫛歯が高く側方の櫛歯が低くなるので、櫛歯が一時に頭皮に当たることがなく、頭皮の負担を軽くすることができる。なお、サイズは以上の通りであるが、本発明がこれらの数値に限定されないことは勿論である。
【００４５】
なお、本発明は前述した構成に基づいて種々の態様をとることが可能である。例えば、ハンドル１３を取付けず、ハンドル取付け部１４を、原動櫛歯台２を回転させるための操作部としてもよい。ハンドル１３又はハンドル取付け部１４を操作せず、直接櫛歯を操作することによって櫛歯を開閉することも可能である。また、すべての櫛歯が開くのではなく、例えば、従動櫛歯台５と第四櫛歯台４のみを回転可能とすることにより、従動櫛歯１２と第四櫛歯１１と第三櫛歯１０だけが一列に並ぶものとしてもよい。この場合、櫛歯が三列と五列で使用できるヘアブラシとなる。櫛歯は合成樹脂等で形成された一本の細棒状のものが使用されているが、これに代えて、豚毛のように細いブリッスルの複数本を一束にまとめたものを櫛歯としてもよい。また、歯列が五列に限定されないことは勿論である。
【産業上の利用可能性】
【００４６】
異なる歯列の櫛歯を一列に並べることにより、櫛としても使用できるヘアブラシを提供することができる。
【符号の説明】
【００４７】
１  第一櫛歯台、    ２  原動櫛歯台、    ３  第三櫛歯台、    ４  第四櫛歯台、    ５  従動櫛歯台、    ６  カバー、  ７  ハウジング、    ８  第一櫛歯、    ９  原動櫛歯、    １０  第三櫛歯、    １１  第四櫛歯、    １２  従動櫛歯、    １３  ハンドル、    １４  ハンドル取付け部、    １５  軸孔、    １６  支軸、    １７  共同孔、    １８  第一端縁、    １９  第二端縁、    ２０  第三端縁、    ２１  第四端縁、    ２２  直線端縁、    ２３  突条、    ２４  条溝、    ２５  長円孔、    ２６  端縁、    ２７  ラック、    ２８  大径ピニオン、    ２９  小径ピニオン、    ３０  上側歯列、    ３１  下側歯列、    ３２  ガイド溝、    ３３  ガイドレール、    ３４  端面、    ３５  回転規制凸部、    ３６  嵌合凹部、    ３７  嵌合凸部、    ３８  嵌合凹部、    ３９  ジャーナル軸、    ４０  Ｕ字形軸受、    ４１  長円孔、    ４２  端縁、    ４３  端縁、    ４４  切欠部、    ４５  凸部、    ４６  凸部、    ４７  孔、    ４８  凸部、    ４９  凸部、    ５０  係止凸部、    ５１  係止凸部、    ５２  端面、    ５３  端面、    ５４  係止凸部、    ５５  係止凸部、    ５６  係止凸部、    ５７  リブ、    ５８  リブ、    ５９  リブ、    ６０  凹部、    ６１  凹部、    ６２  孔、    ６３  端縁、    ６４  端縁、    ６５  ジャーナル軸受、    ６６  孔、    ６７  端縁、    ６８  端縁、    ６９  ジャーナル軸、    ７０  直線端縁
【図１】
2015146853.tif 000003
【図２】
2015146853.tif 000004
【図３】
2015146853.tif 000005
【図４】
2015146853.tif 000006
【図５】
2015146853.tif 000007
【図６】
2015146853.tif 000008
【図７】
2015146853.tif 000009
【図８】
2015146853.tif 000010
【図９】
2015146853.tif 000011
【図１０】
2015146853.tif 000012
【図１１】
2015146853.tif 000013
【図１２】
2015146853.tif 000014
【図１３】
2015146853.tif 000015
【図１４】
2015146853.tif 000016
【図１５】
2015146853.tif 000017
【図１６】
2015146853.tif 000018
【図１７】
2015146853.tif 000019
【図１８】
2015146853.tif 000020
【図１９】
2015146853.tif 000021
【図２０】
2015146853.tif 000022